(57)【特許請求の範囲】
【請求項１】
圧縮機を含む冷凍サイクルにより冷却される複数の部屋と、各部屋にそれぞれ設けられた扉と、各扉の開閉を検出する扉センサーと、扉の開放を報知する報知手段と、前記扉センサーの検出信号を受けて報知手段を動作させて扉の開放を報知するよう制御する制御手段とを備えた冷蔵庫において、
前記各部屋として、冷蔵室、切替室、野菜室及び冷凍室があり、
前記制御手段は、前記扉センサーからの検知信号の入力により扉の開放を検知したときに、前記冷蔵室、前記切替室、前記野菜室及び前記冷凍室のうち２以上の部屋に設定された設定温度に応じてそれぞれ負荷レベルを設定し、更に、前記扉の開閉、前記圧縮機の運転、外気温度、各部屋の急冷の実施／未実施及び霜取りの実施／未実施の各状態のうち、何れか１以上の状態に応じて負荷レベルを設定し、当該負荷レベルと前記各部屋の設定温度における負荷レベルとを合計して運転に加わる負荷の合計値を算出し、この負荷の合計値を基に前記扉の開放を検知してから前記報知手段を動作させるまでの時間を決定することを特徴とする冷蔵庫。
【請求項２】
圧縮機を含む冷凍サイクルにより冷却される複数の部屋と、各部屋にそれぞれ設けられた扉と、各扉の開閉を検出する扉センサーと、扉の開放を報知する報知手段と、前記扉センサーの検出信号を受けて報知手段を動作させて扉の開放を報知するよう制御する制御手段とを備えた冷蔵庫において、
前記制御手段は、前記扉センサーからの検知信号の入力により扉の開放を検知したときに、各部屋の設定温度、前記扉の開閉、前記圧縮機の運転、外気温度、各部屋の急冷の実施／未実施及び霜取りの実施／未実施の各状態に応じてそれぞれ負荷レベルを設定し、設定した負荷レベルを合計して運転に加わる負荷の合計値を算出し、この負荷の合計値を基に前記扉の開放を検知してから前記報知手段を動作させるまでの時間を決定することを特徴とする冷蔵庫。
【請求項３】
前記制御手段は、前記霜取りを実施しているときに、前記扉の開閉の回数が所定回数を超えると、当該扉の開閉における負荷レベルを設定することを特徴とする請求項１又は２記載の冷蔵庫。
【請求項４】
前記制御手段は、前記霜取りを実施しているときに、前記扉の開時間が設定時間を超えると、当該扉の開閉における負荷レベルを設定することを特徴とする請求項１又は２記載の冷蔵庫。
【請求項５】
前記制御手段は、前記霜取りを実施しているときに、前記扉の開閉の回数が所定回数を超えると、前記扉の開閉における負荷レベルを設定し、更に、前記扉の開閉の回数が所定回数を超え、当該扉の開時間が設定時間を超えたときには、前記負荷レベルより高い負荷レベルを設定することを特徴とする請求項１又は２記載の冷蔵庫。
【請求項６】
前記制御手段は、前記圧縮機の回転数が設定回数を超えたときに、当該圧縮機の運転における負荷レベルを設定することを特徴とする請求項１〜５の何れか一項に記載の冷蔵庫。
【請求項７】
前記制御手段は、前記圧縮機の運転が設定時間連続して行われたときに、当該圧縮機の運転における負荷レベルを設定することを特徴とする請求項１〜５の何れか一項に記載の冷蔵庫。
【請求項８】
前記制御手段は、前記圧縮機の回転数が設定回数を超えたときに、当該圧縮機の運転における負荷レベルを設定し、更に、前記圧縮機の回転数が設定回数を超え、当該圧縮機の運転が設定時間連続して行われたときには、前記負荷レベルより高い負荷レベルを設定することを特徴とする請求項１〜５の何れか一項に記載の冷蔵庫。
【請求項９】
前記制御手段は、前記外気温度が設定温度を超えたときに、当該外気温度における負荷レベルを設定することを特徴とする請求項１〜８の何れか一項に記載の冷蔵庫。
【請求項１０】
前記制御手段は、前記外気温度が第１の設定温度を超えたときに、当該第１の設定温度における負荷レベルを設定し、更に、前記外気温度が第１の設定温度を超え、第１の設定温度より高い第２の設定温度を超えたときには、前記負荷レベルより高い負荷レベルを設定することを特徴とする請求項１〜８の何れか一項に記載の冷蔵庫。
【請求項１１】
前記制御手段は、前記冷蔵室、前記切替室、前記野菜室及び前記冷凍室のうち、何れか１以上の部屋の急冷の実施の設定に応じて負荷レベルを設定することを特徴とする請求項１〜１０の何れか一項に記載の冷蔵庫。
【請求項１２】
前記制御手段は、前記霜取りを実施しているときに、当該霜取りの実施における負荷レベルを設定することを特徴とする請求項１〜１１の何れか一項に記載の冷蔵庫。
【発明の詳細な説明】
【技術分野】
【０００１】
本発明は冷蔵庫、詳しくはその扉が長時間開いている場合に、警告音・音声や表示にて扉を開けすぎであることを報知するようにしたものに関する。
【背景技術】
【０００２】
従来の冷蔵庫は、扉の開閉を検知する扉開放検知手段を備え、扉開放検知手段が扉の開放を検知してから扉の開放が一定時間経過した場合には、警報音や表示にて利用者に扉が開いていることの注意を促していた（例えば特許文献１参照）。  
【先行技術文献】
【特許文献】
【０００３】
【特許文献１】特開昭６０−４２５７７号公報（第２頁、図）
【発明の概要】
【発明が解決しようとする課題】
【０００４】
しかしながら、上記従来の冷蔵庫は、冷蔵庫の負荷が重いときでも、軽いときでも、常に扉の開放が一定時間経過した場合に使用者に扉が開けていることを報知することしかできず、扉を開けている時間が一定の場合に冷蔵庫の負荷が重いときには負荷が軽いときよりも冷却性能に悪影響を及ぼすが、これを避けるように報知することは困難であるという問題があった。
【０００５】
本発明はかかる問題を解決するためになされたもので、冷蔵庫の負荷の状態に応じて扉を開けてから報知するまでの時間を可変し、負荷が重いときには早く扉を閉めるように使用者に促すことができる冷蔵庫を得ることを目的とする。
【課題を解決するための手段】
【０００６】
本発明に係る冷蔵庫は、圧縮機を含む冷凍サイクルにより冷却される複数の部屋と、各部屋にそれぞれ設けられた扉と、各扉の開閉を検出する扉センサーと、扉の開放を報知する報知手段と、扉センサーの検出信号を受けて報知手段を動作させて扉の開放を報知するよう制御する制御手段とを備えた冷蔵庫において、各部屋として、冷蔵室、切替室、野菜室及び冷凍室があり、制御手段は、扉センサーからの検知信号の入力により扉の開放を検知したときに、冷蔵室、切替室、野菜室及び冷凍室のうち２以上の部屋に設定された設定温度に応じてそれぞれ負荷レベルを設定し、更に、扉の開閉、圧縮機の運転、外気温度、各部屋の急冷の実施／未実施及び霜取りの実施／未実施の各状態のうち、何れか１以上の状態に応じて負荷レベルを設定し、その負荷レベルと各部屋の設定温度における負荷レベルとを合計して運転に加わる負荷の合計値を算出し、この負荷の合計値を基に扉の開放を検知してから報知手段を動作させるまでの時間を決定するようにしたものである。
【発明の効果】
【０００７】
本発明においては、扉センサーからの検知信号の入力により扉の開放を検知したときに、各部屋の設定温度、扉の開閉、圧縮機の運転、外気温度、各部屋の急冷の実施／未実施、霜取りの実施／未実施の各状態のうち、何れか２以上の状態に応じてそれぞれ負荷レベルを設定し、設定した負荷レベルを合計して運転に加わる負荷の合計値を算出し、この負荷の合計値を基に前記扉の開放を検知してから報知手段を動作させるまでの時間を決定するようにしている。これにより、冷蔵庫の運転状況により、扉を開けてから報知手段により報知するまでの時間を変化させることができ、冷蔵庫に与える負荷が重いときには、冷蔵庫の負荷が軽いときよりも、扉を開けてから報知するまでの時間を短くすることで、使用者に早く扉を閉めるように促すことができ、扉を早く閉めることで、消費電力量を低減することができるという効果がある。
【図面の簡単な説明】
【０００８】
【図１】本発明の実施の形態に係る冷蔵庫の正面図。
【図２】同冷蔵庫の側断面図。
【図３】同冷蔵庫の操作パネルの正面図。
【図４】同冷蔵庫の制御装置のブロック図。
【図５】同冷蔵庫の扉開時の動作を示すフローチャート。
【図６】同冷蔵庫の各種負荷の総合負荷判定のフローチャート。
【図７】同冷蔵庫の各種負荷の第１の組み合わせの負荷判定のフローチャート。
【図８】同冷蔵庫の各種負荷の第２の組み合わせの負荷判定のフローチャート。
【図９】同冷蔵庫の設定温度による負荷レベルＡの算出方法を示すフローチャート。
【図１０】同冷蔵庫の扉の開閉回数による負荷レベルＢの算出方法のフローチャート。
【図１１】同冷蔵庫の扉の開時間による負荷レベルＢの算出方法のフローチャート。
【図１２】同冷蔵庫の扉の開閉回数と開時間による負荷レベルＢの算出方法のフローチャート。
【図１３】同冷蔵庫の圧縮機の回転数による負荷レベルＣの算出方法のフローチャート。
【図１４】同冷蔵庫の圧縮機の運転時間による負荷レベルＣの算出方法のフローチャート。
【図１５】同冷蔵庫の圧縮機の回転数と運転時間による負荷レベルＣの算出方法のフローチャート。
【図１６】同冷蔵庫の外気温度による負荷レベルＤの算出方法のフローチャート。
【図１７】同冷蔵庫の二段階の外気温度による負荷レベルＤの算出方法のフローチャート。
【図１８】同冷蔵庫の急冷実施による負荷レベルＥの算出方法のフローチャート。
【図１９】同冷蔵庫の霜取り実施による負荷レベルＦの算出方法のフローチャート。
【発明を実施するための形態】
【０００９】
実施の形態．
図１は本発明の実施の形態に係る冷蔵庫の正面図、図２は同冷蔵庫の側断面図、図３は同冷蔵庫の操作パネルの正面図、図４は同冷蔵庫の制御装置のブロック図である。
図１及び図２に示すように、冷蔵庫１００は最上段に冷蔵室１０１を備えており、冷蔵室１０１は扉１１１を有している。その冷蔵室１０１の下には左側に製氷室１０２を、右側に切替室１０５を備えており、製氷室１０２は扉１１２を有しており、切替室１０５は扉（図示省略）を有している。
また、製氷室１０２及び切替室１０５の下には野菜室１０３を備えており、野菜室１０３は扉１１３を有している。その野菜室１０３の下には冷凍室１０４を備えており、冷凍室１０４は扉１１４を有している。
【００１０】
これら冷蔵室１０１〜冷凍室１０４には扉１１１〜１１４の開閉を検知する扉センサー７ａ〜７ｅが設けられている。なお、冷蔵室の１０１が開いた場合には冷蔵室１０１内の庫内灯（図示省略）を点灯させる。また、冷蔵室１０１〜冷凍室１０４にはそれぞれ温度センサ８ａ〜８ｅが設けられている。
さらに、図２に示すように、冷蔵庫１０１の背面側には、制御装置２、ファン５、冷却器３及び圧縮機４が設けられている。
冷却器３、圧縮機４等から構成される冷凍サイクルによって生成された冷気が、ファン５によって冷蔵庫内風路を循環し、冷蔵室１０１〜冷凍室１０４にそれぞれ設けられた温度センサー８ａ〜８ｅにより温度を検知し、制御装置２が温度センサー８ａ〜８ｅが検出した温度に基づいて設定した温度になるように、各室の風路に取り付けられた開閉弁（図示省略）の開け閉めを行い、ファン５や圧縮機４のＯＮ／ＯＦＦ等の制御を行う。
【００１１】
図３に示すように、冷蔵室扉１１１に設けられた操作パネル１は、操作を行いたい部屋を選択するための部屋選択スイッチ１１と、部屋選択スイッチ１１によって選択した部屋の設定温度を変更する温度設定スイッチ１２と、選択した部屋の急冷を行う急冷スイッチ１３と、製氷の状態を切り替える製氷切替スイッチ１４と、ユーザがこれらスイッチ１１〜１４の選択した結果を表示する表示部１５と、外気温度を検知する外気温度センサ（図示省略）が設けられている。さらに、操作パネル１の表示部１５には、扉が開いているので扉を閉じさせるための文字の液晶表示を行う扉開表示部１５ａが設けられている。
【００１２】
図４に示すように、制御装置２は冷蔵庫の制御を行うマイクロコントローラ２１を備えている。そのマイクロコントローラ２１には、各種設定状態や運転状態を記憶する記憶手段２２が接続されており、さらに扉センサー７ａ〜７ｅと温度センサー８ａ〜８ｅが接続されていると共に、操作パネル１、圧縮機４、ファン５、扉が開いていることを音声で報知する音声手段９及び扉が開いていることを警告音で報知する警報音手段１０が接続されている。
また、マイクロコントローラ２１には、冷蔵庫１００の扉の開いている時間をカウントする扉開時間タイマー２３、圧縮機４の運転時間をカウントする運転時間タイマー２４と、扉の開いた回数をカウントするカウント手段２５と、圧縮機４の回転数を検知する回転数検知手段２６が接続されている。
【００１３】
次に、本発明の実施の形態に係る冷蔵庫について、扉を長時間開けた場合の動作を図５のフローチャートに基づいて説明する。
まず、ステップＳ１において、マイクロコントローラ２１は扉センサー７ａ〜７ｅの検出信号から扉が開いているかどうかの判定を行う。ここに扉が開いているとは、冷蔵室１０１〜冷凍室１０４の扉１１１〜１１４のうち、いずれか一つの扉が開いていることをいう。
次に、扉が開いている場合は、扉開時間タイマー２３が扉の開いている時間をカウントアップする（ステップＳ２）。
【００１４】
扉開時間タイマー２３がカウントアップした扉の開いている時間が所定の時間Ｔ秒を経過しているかの判定をマイクロコントローラ２１が行い（ステップＳ３）、所定の時間Ｔ秒を経過していない場合は、ステップＳ１に戻る。また、所定の時間Ｔ秒を経過した場合は、ステップＳ４に移行し、マイクロコントローラ２１が音声手段９を動作させて扉が開いていることを示す音声を発生させ、警報音手段１０を動作させて扉が開いていることを示す警報音を発生させると共に、扉開表示部１５ａに扉が開いているので扉を閉めて下さいの表示を行わせる（ステップＳ４）。
【００１５】
このように、警報音・音声や表示を発生した後は、一度タイマをリセットし（ステップＳ５）、再びステップＳ１に戻ることで、扉が開き続けた場合、Ｔ秒経過毎に、警報音・音声や表示を発生させる。途中扉が閉じられた場合は、タイマをリセットし（ステップＳ６）、扉が開いている場合の処理を終了する。
図５のフローチャートでは、警報音・音声や表示の発生により、使用者に扉が開いていることを報知しているが、これらいずれか一つの報知であってもよく、これに限らず、光や画像等の表示を点灯・点滅させることで報知するようにしてもよい。
【００１６】
次に、警報音・音声や表示を発生するまでの時間：Ｔ秒の決定の方法を図６のフローチャートに基づいて説明する。
まず、ステップＳ１１において、ユーザが操作パネル１において、設定した各部屋の設定温度により、負荷レベルＡを算出する。
次に、扉の開閉による負荷レベルＢの算出を行う（ステップＳ１２）。続けて、圧縮機の運転状態による負荷レベルＣ（ステップＳ１３）、外気温度による負荷レベルＤ（ステップＳ１４）、急冷実施/未実施による負荷レベルＥ（ステップＳ１５）、霜取り実施/未実施による負荷レベルＦ（ステップＳ１６）の算出をそれぞれ行う。
各要因による負荷レベルの算出を行った後、負荷レベルＡ〜Ｆの合計を冷蔵庫１００の負荷レベルαとする（ステップＳ１７）。
【００１７】
冷蔵庫１００の負荷レベルαが所定の値（例えば−３）未満の場合（ステップＳ１８）は、負荷「極小」と判定し、Ｔ＝９０秒とする（ステップＳ１９）。負荷レベルαが−３以上の場合は、次の所定の値（例えば０）より小さいか判定を行い（ステップＳ２０）、０未満の場合は、負荷「小」と判定し、Ｔを９０秒より短い時間（例えば６０秒）とする（ステップＳ２１）。
０以上の場合は、次の所定の値（例えば３）より小さいかの判定を行い（ステップＳ２２）、３未満の場合は負荷「中」と判定し、Ｔを６０秒より短い時間（例えば４０秒）とする（ステップＳ２３）。３以上の場合は負荷「大」と判定し、Ｔを４０秒より短い時間（例えば２０秒）とする（ステップＳ２４）。
【００１８】
図５では、負荷レベルＡ〜Ｆの６つの要因を全て冷蔵庫の負荷レベルαの判定材料としているが、これに限らず、図７に示すように例えば、各部屋の設定温度による負荷レベルＡと扉による負荷レベルＢの特定の要因から冷蔵庫１００の負荷レベルαを算出してもよい。
この場合、ステップＳ１１、Ｓ１２から負荷レベルＡ、Ｂの合計を冷蔵庫１００の負荷レベルαとする（ステップ１７）にいき、以降はステップＳ１８〜ステップＳ２６に至る。
即ち、冷蔵庫１００の負荷レベルαが所定の値（例えば−３）未満の場合（ステップＳ１８）は、負荷「極小」と判定し、Ｔ＝１２０秒とする（ステップＳ１９）。負荷レベルαが−３以上の場合は、次の所定の値（例えば０）より小さいか判定を行い（ステップＳ２０）、０未満の場合は、負荷「小」と判定し、Ｔを１２０秒より短い時間（例えば９０秒）とする（ステップＳ２１）。
【００１９】
０以上の場合は、次の所定の値（例えば３）より小さいかの判定を行い（ステップＳ２２）、３未満の場合は負荷「中」と判定し、Ｔを９０秒より短い時間（例えば６０秒）とする（ステップＳ２３）。３以上の場合は次の所定の値（例えば６）より小さいかの判定を行い（ステップＳ２４）、６未満の場合は負荷「大」と判定し、Ｔを６０秒より短い時間（例えば４０秒）とする（ステップＳ２５）。６以上の場合は、負荷「大」と判定し、Ｔを４０秒より短い時間（例えば２０秒）とする（ステップＳ２６）。
また、図７では、負荷レベルの判定段階を４段階に区別しているが、これに限らず、任意の段階で区別してもよい。
【００２０】
また、図６では負荷レベルＡ、Ｂ、Ｃ、Ｄ、Ｅの順序で算出を行っているが、これに限らず、各要因による負荷レベルの算出順序は任意の順序としてもよい。図８に示すように、例えば、外気温度による負荷レベルＤ、急冷による負荷レベルＥ、扉による負荷レベルＢの特定の要因から冷蔵庫１００の負荷レベルαを算出してもよい。
この場合、ステップＳ１１、Ｓ１２、Ｓ１７から負荷レベルＤ、Ｅ、Ｂの合計を冷蔵庫１００の負荷レベルαとする（ステップＳ１７）にいき、以降は図６と同様にステップＳ１８〜ステップＳ２４に至る。
【００２１】
また、冷蔵庫の冷却への影響を明確に報知するために、決定した負荷レベルに応じて、警報音のパターン、音色を変更するとなお効果的であるし、表示にて報知する場合には、表示内容やパターンを変更すると、なお効果的である。
【００２２】
次に、各要因による負荷レベルの算出方法を説明する。
まず、各部屋の設定温度による負荷レベルの算出であるステップＳ１１の詳細について図９のフローチャートに基づいて説明する。
冷蔵室１０１の設定温度は弱（高温）から強（低温）まで数段階（例えば３段階）で選択することが可能であり、ユーザが選択した設定温度が中（真ん中の設定）より低いかどうかの判定をマイクロコントローラ２１で行う（ステップＳ１１−１）。低い場合は冷蔵室をより低温にしなければならないため、負荷レベルＡを＋１する（ステップＳ１１−２）。低くない場合は、選択した設定温度が中より高いかどうかの判定を行う（ステップＳ１１−３）。高い場合は冷蔵室をあまり冷却しなくてよいため、負荷レベルＡを−１する（ステップＳ１１−４）。高くない場合は、中を選択しているため、負荷レベルはそのままとする。
【００２３】
次に、切替室１０５の設定による判定を行う。切替室１０５は、切替室内の温度を約−１８℃の「冷凍」設定、約−７℃の「ソフト冷凍」設定、約−１℃の「チルド」設定、約３℃の「冷蔵」設定と数段階（例えば４段階）に切り換えることが可能であり、ユーザが選択した切替室１０５の設定が「ソフト冷凍」より低いかの判定を行う（ステップＳ１１−５）。低い場合（「冷凍」の場合）は切替室１０５をより低温にしなければならないため、負荷レベルＡを＋１する（ステップＳ１１−６）。低くない場合は、選択した設定が「ソフト冷凍」より高いかの判定を行う（ステップＳ１１−７）。高い場合は切替室１０５の冷却にあまり負荷がかからないため、負荷レベルＡを−１する（ステップＳ１１−８）。高くない場合は、「ソフト冷凍」を選択しているため、負荷レベルはそのままとする。図９では「ソフト冷凍」を基準にしているが、これに限らず、別の設定温度を基準にしてもよい。
【００２４】
次に、野菜室１０３、冷凍室１０４の設定温度の判定を行うが、野菜室１０３、冷凍室１０４の判定は、冷蔵室１０１の設定温度の判定と同様のため、ステップＳ１１−９〜Ｓ１１−１６を図９に明示して説明を省略する。
各部屋の設定温度により算出した負荷レベルの合計を設定温度による負荷レベルＡとする。例えば、冷蔵室「弱」、切替室「冷蔵」、野菜室「強」、冷凍室「中」と設定した場合は、設定温度による負荷レベルＡは−１（＝−１−１＋１＋０）となる。
【００２５】
図９では、すべての部屋の設定温度状況を設定温度による負荷レベルＡの判定材料としているが、これに限らず、例えば、冷蔵室１０１と冷凍室１０４など、特定の部屋の設定温度状況だけを判定材料としてもよい。
また、どの部屋の設定温度に対しても負荷レベルＡを±１しているが、これに限らず、例えば、冷蔵室１００の設定温度を変更すると±２、冷凍室１０４の設定温度を変更すると±３といったように、各部屋毎に負荷レベルに重みをつけてもよい。
【００２６】
次に、扉による負荷レベルＢの算出方法を図１０のフローチャートに基づいて説明する。
まず、扉による負荷レベルＢの算出を開始したら、霜取りを開始したかどうかの判定をマイクロコントローラ２１で行う（ステップＳ１２−１）。霜取りを開始した場合は、扉の開閉回数を０回にリセットし（ステップ１２−２）、霜取りを開始していない場合は、そのまま次のステップに移行する。霜取りは約１日１回行っており、霜取り開始から次回霜取り開始までの、扉の開閉回数をカウントすることで、約１日の扉の開閉回数をカウントすることが可能となる。
【００２７】
次のステップでは、扉の開閉回数が所定の回数（例えば２０回）を超えたかどうかの判定をマイクロコントローラ２１がカウント手段２５がカウントした回数から行う（ステップＳ１２−３）。超えていた場合は、扉開閉による負荷が大きい判断し、扉による負荷レベルＢを＋１する。超えていない場合は、そのまま扉による負荷レベル判定を終了する。
【００２８】
図１０では扉の開閉回数により、負荷レベルＢの判定を行っているが、これに限らず、図１１のフローチャートに示すように、扉の開いている時間により判定を行ってもよい。
まず、扉による負荷レベルＢの算出を開始したら、霜取りを開始したかどうかの判定を行う（ステップＳ１２−１）。霜取り開始した場合は、１回の扉の開時間が所定の時間（例えば２０秒）を超えたかどうかの判定を行い（ステップＳ１２−５、６）、超えていた場合は、扉による負荷レベルＢを＋１する（ステップＳ１２−７）。
【００２９】
また、図１１では１回の扉の開時間により判定を行っているが、例えば、霜取り開始から次回霜取り開始までの累積の扉開時間をカウントし、累積の扉開時間が所定の時間（例えば２０分）を超えた場合に、扉による負荷レベルＢを＋１してもよい。また、図１２のフローチャートに示すように、扉の開時間と開閉回数の両方を負荷レベルＢの判定材料としてもよい。この場合、ステップＳ１２−１、Ｓ１２−２、Ｓ１２−５、Ｓ１２−３、Ｓ１２−４、Ｓ１２−６、Ｓ１２−７を図１２に明示して説明を省略する。
【００３０】
次に、圧縮機４による負荷レベルＣの算出方法について図１３のフローチャートに基づいて説明する。
まず、圧縮機４の回転数について回転数検出手段２６の検出信号に基づいて圧縮機４が所定の回転数（例えば７０rps）を超えているかどうかの判定をマイクロコントローラ２１が行う（ステップＳ１３−１）。７０rpsを超えていた場合は、高回転で運転しているため、負荷大と判断し、圧縮機４による負荷レベルＣを＋１する（ステップＳ１３−２）。７０ｒｐｓを超えていない場合は、そのまま圧縮機４の負荷レベルＣの算出を終了する。
【００３１】
図１３のフローチャートでは、圧縮機４の回転数により負荷レベルＣの判定を行っているが、これに限らず、図１４のフローチャートに示すように、圧縮機４の１回の連続運転時間により、負荷レベルＣの判定を行ってもよい。運転時間タイマー２４がカウントする圧縮機４の連続運転時間が所定の時間（例えば３時間）を超えたかどうかの判定をマイクロコントローラ２１で行い（ステップＳ１３−３）、超えていた場合は、圧縮機４による負荷レベルＣを＋１する（ステップＳ１３−４）。超えていない場合は、負荷小と判断し、そのまま圧縮機４の負荷レベルＣの算出を終了する。また、図１５に示すように、圧縮機４の回転数と連続運転時間の両方を負荷レベルＣの判定材料としてもよい。この場合、ステップＳ１３−１〜Ｓ１３−４を図１５に明示して説明を省略する。
【００３２】
次に、外気温度による負荷レベルＤの算出方法について図１６のフローチャートに基づいて説明する。
まず、外気温度センサ（図示省略）が検出した外気温度が所定の温度（例えば３０℃）を超えたかどうかの判定をマイクロコントローラ２１で行う（ステップＳ１４−１）。超えていた場合は、外気による負荷大と判断し、外気による負荷Ｄを＋１とする（ステップＳ１４−２）。超えていない場合は外気による負荷は小さいと判断し、そのまま外気温度による負荷レベルＤの算出を終了する。
【００３３】
図１６のフローチャートでは、外気温度の判定値を１つしか設けていないが、これに限らず、図１７のフローチャートに示すように、外気温度の判定値を２つ（もしくは２つ以上）設けてもよい。まず、外気温度が１５℃を超えたかどうかの判定を行い（ステップＳ１４−３）、１５℃を超えた場合は、外気温度による負荷レベルＤを＋１する（ステップＳ１４−４）。１５℃を超えていない場合は、そのまま外気温度による負荷レベルＤの算出を終了する。１５℃を超えた場合は、次に、外気温度が３０℃を超えたかどうかの判定を行い（ステップＳ１４−５）、３０℃を超えていた場合は、外気温度による負荷レベルＤを更に＋１する（ステップＳ１４−６）。
【００３４】
次に、急冷実施による負荷レベルＥの算出方法を図１８のフローチャートに基づいて説明する。
まず、マイクロコントローラ２１で冷蔵室１０１の急冷を実施しているかどうかの判定を行う(ステップＳ１５−１)。これは部屋選択スイッチ１１が冷蔵室１０１を選択し、急冷スイッチ１３が急冷を選択しているかどうかで判定する。
急冷を行っている場合は、負荷レベルＥを＋１する（ステップＳ１５−２）。次に、製氷室１０２、切替室１０５、野菜室１０３、冷凍室１０４とそれぞれの部屋について、同様に急冷を実施しているかどうかの判定を行い、実施している場合は、それぞれ負荷レベルＥを＋１する（ステップＳ１５−３〜Ｓ１５−１１）。
各部屋の急冷実施状況より算出した負荷レベルの合計を急冷による負荷レベルＥとする。例えば、冷蔵室１０１、切替室１０５、野菜室１０３の急冷を行った場合は、急冷による負荷レベルＥは３（＝１＋１＋１）となる（Ｓ１５−１２）。
【００３５】
図１８のフローチャートでは、すべての部屋の急冷実施状況を急冷による負荷レベルＥの判定材料としているが、これに限らず、例えば、冷蔵室１０１と冷凍室１０４など、特定の部屋の急冷状況だけを判定材料としてもよい。また、どの部屋の急冷を実施しても負荷レベルＥを＋１しているが、これに限らず、例えば、冷蔵室１０１の急冷を行うと＋２、冷凍室１０４の急冷を行うと＋３といったように、各部屋毎に負荷レベルに重みをつけてもよい。
【００３６】
次に、霜取り実施による負荷レベルＦの算出方法を図１９のフローチャートに基づいて説明する。
まず、霜取りを実施しているかどうかの判定をマイクロコントローラ２１で行う（ステップＳ１６−１）。霜取りを実施している場合は、霜取りによる負荷レベルＦを＋１する（ステップＳ１６−２）。霜取りを実施していない場合は、負荷小と判断し、そのまま霜取り実施による負荷レベルＦの算出を終了する。
【００３７】
以上のように本実施の形態では、各部屋の設定温度、扉の開閉状態、圧縮機４の運転状態、外気温度、急冷の実施/未実施、霜取りの実施/未実施により総合的に冷蔵庫の負荷レベルを判定し、負荷に合わせて、扉が開いてから警報音・音声や表示を発生するまでの時間Ｔを変化させることで、負荷が重い時には、負荷が軽いときに比べて、早く扉を閉めるよう促すことができる。また、扉を早く閉めることで、消費電力量を低減することができる。
【符号の説明】
【００３８】
１  操作パネル、２  制御装置、３  冷却器、４  圧縮機、５  ファン、６  製氷機、７ａ〜７ｅ  扉センサー、８ａ〜８ｅ  温度センサー、９  音声手段、１０  警報音手段、１１  部屋選択スイッチ、１２  温度設定スイッチ、１３  急冷スイッチ、１４  製氷切替スイッチ、１５  表示部、１５ａ  扉開表示部、２１ マイクロコントローラ、２２  記憶手段、２３  扉開時間タイマー、２４  圧縮機の運転時間タイマー、２５  扉のカウント手段、１００  冷蔵庫、１０１  冷蔵室、１０２  製氷室、１０３  野菜室、１０４  冷凍室、１０５  切替室、１１１  冷蔵室扉、１１２  製氷室扉、１１３  野菜室扉、１１４  冷凍室扉。
【図１】
0005441577.tif 000002
【図２】
0005441577.tif 000003
【図３】
0005441577.tif 000004
【図４】
0005441577.tif 000005
【図５】
0005441577.tif 000006
【図６】
0005441577.tif 000007
【図７】
0005441577.tif 000008
【図８】
0005441577.tif 000009
【図９】
0005441577.tif 000010
【図１０】
0005441577.tif 000011
【図１１】
0005441577.tif 000012
【図１２】
0005441577.tif 000013
【図１３】
0005441577.tif 000014
【図１４】
0005441577.tif 000015
【図１５】
0005441577.tif 000016
【図１６】
0005441577.tif 000017
【図１７】
0005441577.tif 000018
【図１８】
0005441577.tif 000019
【図１９】
0005441577.tif 000020